(57)【要約】      （修正有）【課題】装飾性の面で優れたデザインやバリエーションを得ることができる磁性体真珠を提供する。【解決手段】球状の磁性体に真珠塗膜塗装した無穴人造真珠７０１〜７０３を、磁性体の磁力により、１珠１珠を自在に接着してアクセサリーを形成する。また該アクセサリーは直径２ｍｍ、３ｍｍ、４ｍｍ、５ｍｍ、６ｍｍ、７ｍｍまでの大きさが１ｍｍ単位で異なる大きさを有する無穴人造真珠同士をデザインやバリエーションを配慮して各種外径の無穴人造真珠を選択的に接着して構成しても良い。【選択図】図７
0003168462.tif 000002
【実用新案登録請求の範囲】
【請求項１】
球状の磁性体に真珠塗膜塗装した無穴人造真珠を、磁性体の磁力により、１珠１珠を自在に接着することで可能となる組み合わせである。
【請求項２】
請求項１は、直径２ｍｍから７ｍｍまでの大きさが１ｍｍ単位で有する無穴人造真珠である。
【請求項３】
球状の磁性体に円筒状の貫通穴が球の中心に開けられたものに、真珠塗膜塗装をした人造真珠を、磁性体の磁力により、１珠１珠を自在に接着することで可能となる組み合わせである。
【請求項４】
請求項３は、直径４ｍｍから７ｍｍまでの大きさが１ｍｍ単位で有する穴あき人造真珠である。
【請求項５】
請求項１と請求項３は、グレー、ブラック、グリーン、レッド、ビーコックグリーン、ホワイト、ブルー、ローズ、シルバー、クリーム、ゴールド、ブルーの真珠塗膜の色を有する人造真珠である。
【考案の詳細な説明】
【技術分野】
【０００１】  本考案は、球状の磁性体に真珠塗膜塗装された人造真珠（以下、「人造真珠」という。）にある磁性体の磁力により、１珠１珠が自在に接着することで可能となる組み合わせに関するものである。
【背景技術】
【０００２】  従来の磁性体真珠は、特開２００３−１０２５２１号（特許文献２参照）に記載されているように、本体部材がマグネットからなる核部の外側に透磁性を有して真珠光沢を呈する非金属系の薄い保護膜が積層されていることを特徴とする真珠が知られている。【０００３】  実開２００５−３１１６３０７号（特許文献１参照）には、真珠の背面に凹所を設け、当該凹所に磁性体あるいはゲルマニウムからなる粒状体を収納固定したものが知られている。
前記先行技術は、磁性体の磁力を作用させて、血行を良くさせることが可能であると示されている。
【先行技術文献】
【特許文献】
【０００４】
【特許文献１】特開２００３−１０２５２１号公報
【特許文献２】実開２００５−３１１６３０７号公報
【考案の概要】
【考案が解決しようとする課題】
【０００５】  背景技術の磁性体真珠は、磁性体の磁力によって、健康増進を図ったものであり、装飾性の優れたデザインやバリエーションを得ることが難しい欠点がある。
【課題を解決するための手段】
【０００６】  本考案の課題は、磁性体真珠の磁力を健康増進ではなく、球状の磁性体に真珠塗膜塗装された人造真珠に磁力を持たせることで、装飾性を持たせたことにより、優れたデザインやバリエーションの自在な組み合わせが可能となり課題が解決される。【０００７】  本考案の人造真珠は、無穴人造真珠と穴あき人造真珠がある。「人造真珠」の用語は、「無穴人造真珠」と「穴あき人造真珠」の総称として用いる。【０００８】  無穴人造真珠は、球状の磁性体に真珠塗膜塗装を行い、磁性体の磁力により、１珠１珠の自在な組み合わせを特徴とする。【０００９】  無穴人造真珠は、直径２ｍｍから７ｍｍまでの大きさを１ｍｍ単位で有する。【００１０】  穴あき人造真珠は、球状の磁性体に円筒状の貫通穴が球の中心に開けられたものに、真珠塗膜塗装を行い、磁性体の磁力により、１珠１珠の自在な組み合わせを特徴とする。【００１１】  穴あき人造真珠は、直径４ｍｍから７ｍｍまでの大きさが１ｍｍ単位で有する。【００１２】  人造真珠塗膜の厚さは、０．２ｍｍから０．３ｍｍの範囲にある。【００１３】  人造真珠の磁力は、組み合わせを考慮し、接着に適したものである。なお、下記の表の数値は、２ｍｍから７ｍｍまでの人造真珠の磁力の範囲を示す。【００１４】
【表１】
0003168462.tif 000003
【００１５】  人造真珠の塗膜の色は、グレー、ブラック、グリーン、レッド、ビーコックグリーン、ホワイト、ブルー、ローズ、シルバー、クリーム、ゴールド、ブルーを有する。
【考案の効果】
【００１６】  本考案は、所有者が無穴人造真珠を組み合わせることにより、ブローチや指輪やネックレス等の輪っか状の装身具を形作ることができる。また、穴あき人造真珠にもペンダント方式をとりながら、同じように組み合わせを所有者のアイデアで、組み合わせが形を作ることができる。
【考案を実施するための形態】
【００１７】  本考案の実施例を、図面を参照しながら説明する。ただし、この実施例に記載されている構成部品の寸法、数、その相対配置などは、特に特定的な記載がないかぎりは、本考案の範囲に限定するものではなく説明例である。
【００１８】  図１図２は、無穴人造真珠について示したものである。図２は、無穴人造真珠の中心部に球状の磁性体２０１があり、その周囲を所定の厚みのコーティング層２０２で被覆している。
【００１９】  図３図４は、穴あき人造真珠について示したものである。図３は、直径約１ｍｍの貫通穴３０１と３０２が通っている。図４は、人造真珠の中心部に球状の磁性体４０１があり、直径約１ｍｍの貫通穴４０２と４０３が通っている。この周囲を所定の厚みのコーティング層４０４で被覆している。
【００２０】  磁性体２０１は、直径２ｍｍから７ｍｍまでの大きさが１ｍｍごとにある。
【００２１】  磁性体４０１は、直径４ｍｍから７ｍｍまでの大きさが１ｍｍごとにある。
【００２２】  図５は、同じ大きさの無穴人造真珠を磁力により縦に接着させたものである。
【００２３】  図６は、無穴人造真珠を組み合わせた指輪の一例である。２ｍｍ、３ｍｍ、４ｍｍの無穴人造真珠を磁性体の磁力により複数組み合わせ、中指に巻いたものである。２ｍｍ珠の無穴人造真珠６０１、３ｍｍ珠の無穴人造真珠６０２、４ｍｍ珠の無穴人造真珠６０３が互いの磁力で接着しているように、周辺の無穴人造真珠は、磁力により接着している。
【００２４】  図７は、無穴人造真珠を組み合わせたネックレスの一例である。５ｍｍ、６ｍｍ、７ｍｍの無穴人造真珠複数を磁性体の磁力により組み合わせ、首に掛けたものである。５ｍｍ珠の無穴人造真珠７０１、６ｍｍ珠の無穴人造真珠７０２、７ｍｍ珠の無穴人造真珠７０３が互いの磁力で接着しているように、周辺の無穴人造真珠は、磁力により接着している。
【００２５】  図８は、無穴人造真珠を組み合わせたブローチの一例である。２ｍｍ、４ｍｍ、５ｍｍ、７ｍｍの無穴人造真珠を塊状に組み合わせ、ブローチにしたものである。２ｍｍ珠の無穴人造真珠８０１、４ｍｍ珠の無穴人造真珠８０２、５ｍｍ珠の無穴人造真珠８０３、７ｍｍ珠の無穴人造真珠８０４が互いの磁力で接着しているように、周辺の無穴人造真珠は、磁力により接着している。
【００２６】  図９は、アクセサリーの一例である。穴あき人造真珠にチェーンや紐類９０１を貫通穴９０２と９０３に通し、穴あき人造真珠を磁力によりリング状に組み合わせ、アクセサリーとして首にかけたものである。穴あき人造真珠９０４と穴あき人造真珠９０５が互いの磁力によって接着しているように、周辺の穴あき人造真珠は、磁力により接着している。
【００２７】  図１０は、アクセサリーの一例である。チェーンや紐類１００１を穴あき人造真珠に通し、穴あき人造真珠を磁力によって立方状に組み合わせたアクセサリー１００２を首にかけている。
【００２８】  図１１は、アクセサリーの一例である。穴あき人造真珠にチェーンや紐類１１０１を貫通穴１１０２と１１０３に通し、磁力によって一列に直線状に組み合わせたアクセサリーを首にかけたものを示したものである。
【産業上の利用可能性】
【００２９】  本考案は、ペンダントやブローチ、イヤリング等の単独の装身具や、指輪やネックレス等の連珠状に組み合わされた装身具に利用できる組み合わせである。
【図面の簡単な説明】
【００３０】
【図１】  無穴人造真珠１珠を示した外観図である。
【図２】  無穴人造真珠１珠を示した断面図である。
【図３】  穴あき人造真珠１珠を示した外観図である。
【図４】  穴あき人造真珠１珠を示した断面図である。
【図５】  無穴人造真珠を複数縦につなげたものの外観図である。
【図６】  無穴人造真珠を複数組み合わせて指に指輪をしたものを示した斜視図である。
【図７】  無穴人造真珠を複数組み合わせたネックレスを首にかけたものを示した正面図である。
【図８】  無穴人造真珠を複数組み合わせたブローチを示した正面図である。
【図９】  穴あき人造真珠をリング状に組み合わせたアクセサリーを首にかけたものを示した断面図である。
【図１０】  穴あき人造真珠を立方状に組み合わせたアクセサリーを首にかけたものを示した正面図である。
【図１１】  穴あき人造真珠を一列に組み合わせたアクセサリーを首にかけたものを示した断面図である。
【符号の説明】
【００３１】２０１―――無穴磁性体
２０２―――コーティング層
３０１―――貫通穴
３０２―――貫通穴
４０１―――穴あき磁性体
４０２―――貫通穴
４０３―――貫通穴
４０４―――コーティング層
６０１―――人造真珠（２ｍｍ）
６０２―――人造真珠（３ｍｍ）
６０３―――人造真珠（４ｍｍ）
７０１―――人造真珠（５ｍｍ）
７０２―――人造真珠（６ｍｍ）
７０３―――人造真珠（７ｍｍ）
８０１―――人造真珠（２ｍｍ）
８０２―――人造真珠（４ｍｍ）
８０３―――人造真珠（５ｍｍ）
８０４―――人造真珠（７ｍｍ）
９０１―――チェーン等の紐類
９０２―――貫通穴
９０３―――貫通穴
９０４―――穴あき人造真珠
９０５―――穴あき人造真珠
１００１――チェーン等の紐類
１００２――穴あき人造真珠で組み合わせられたアクセサリー
１１０１――チェーン等の紐類
１１０２――貫通穴
１１０３――貫通穴
【図１】
0003168462.tif 000004
【図２】
0003168462.tif 000005
【図３】
0003168462.tif 000006
【図４】
0003168462.tif 000007
【図５】
0003168462.tif 000008
【図６】
0003168462.tif 000009
【図７】
0003168462.tif 000010
【図８】
0003168462.tif 000011
【図９】
0003168462.tif 000012
【図１０】
0003168462.tif 000013
【図１１】
0003168462.tif 000014
【手続補正書】
【提出日】平成23年3月14日(2011.3.14)
【手続補正１】
【補正対象書類名】実用新案登録請求の範囲
【補正対象項目名】全文
【補正方法】変更
【補正の内容】
【実用新案登録請求の範囲】
【請求項１】
球状の磁性体に真珠塗膜塗装した無穴人造真珠を、磁性体の磁力により、１珠１珠を自在に接着してなるアクセサリー。
【請求項２】
請求項１は、直径２ｍｍ、３ｍｍ、４ｍｍ、５ｍｍ、６ｍｍ、７ｍｍまでの大きさが１ｍｍ単位で異なる大きさを有する無穴人造真珠同士を接着したことを特徴とする、請求項１記載のアクセサリー。
【請求項３】
球状の磁性体に筒状の貫通穴が球の中心に開けられたものに、真珠塗膜塗装をした人造真珠を、磁性体の磁力により、１珠１珠を自在に接着してなるアクセサリー。
【請求項４】
請求項３は、直径４ｍｍ、５ｍｍ、６ｍｍ、７ｍｍまでの大きさが１ｍｍ単位で異なる大きさを有する穴あき人造真珠同士を接着したことを特徴とする、請求項３記載のアクセサリー。
【請求項５】
前記人造真珠が、グレー、ブラック、グリーン、レッド、ビーコックグリーン、ホワイト、ブルー、ローズ、シルバー、クリーム、ゴールド、ブルーの真珠塗膜の色を有することを特徴とする、請求項１又は３に記載のアクセサリー。
【手続補正４】
【補正対象書類名】明細書
【補正対象項目名】０００１
【補正方法】変更
【補正の内容】
【０００１】  本考案は、球状の磁性体に真珠塗膜塗装された人造真珠（以下、「人造真珠」という。）にある磁性体の磁力により、１珠１珠が自在に接着してなるアクセサリーに関するものである。
【手続補正５】
【補正対象書類名】明細書
【補正対象項目名】０００６
【補正方法】変更
【補正の内容】
【０００６】  本考案の課題は、磁性体真珠の磁力を健康増進ではなく、球状の磁性体に真珠塗膜塗装された人造真珠に磁力を持たせることで、装飾性を持たせたことにより、優れたデザインやバリエーションを自在に接着してなるアクセサリーとなり課題が解決される。
【手続補正６】
【補正対象書類名】明細書
【補正対象項目名】０００８
【補正方法】変更
【補正の内容】
【０００８】  無穴人造真珠は、球状の磁性体に真珠塗膜塗装を行い、磁性体の磁力により、１珠１珠を自在に接着してなることを特徴とする。
【手続補正７】
【補正対象書類名】明細書
【補正対象項目名】０００９
【補正方法】変更
【補正の内容】
【０００９】  無穴人造真珠は、直径２ｍｍ、３ｍｍ、４ｍｍ、５ｍｍ、６ｍｍ、７ｍｍまでの大きさを１ｍｍ単位で異なる大きさを有する無穴人造真珠同士を接着したことを特徴とする。
【手続補正８】
【補正対象書類名】明細書
【補正対象項目名】００１０
【補正方法】変更
【補正の内容】
【００１０】  穴あき人造真珠は、球状の磁性体に円筒状の貫通穴が球の中心に開けられたものに、真珠塗膜塗装を行い、磁性体の磁力により、１珠１珠を自在に接着してなることを特徴とする。
【手続補正９】
【補正対象書類名】明細書
【補正対象項目名】００１１
【補正方法】変更
【補正の内容】
【００１１】  穴あき人造真珠は、直径４ｍｍ、５ｍｍ、６ｍｍ、７ｍｍまでの大きさを１ｍｍ単位で異なる大きさを有する穴あき人造真珠同士を接着したことを特徴とする。
【手続補正１０】
【補正対象書類名】明細書
【補正対象項目名】００１３
【補正方法】変更
【補正の内容】
【００１３】  人造真珠の磁力は、組み合わせを考慮し、接着に適したものである。なお、下記の表の数値は、２ｍｍ、３ｍｍ、４ｍｍ、５ｍｍ、６ｍｍ、７ｍｍまでの人造真珠の磁力の範囲を示す。
【手続補正１１】
【補正対象書類名】明細書
【補正対象項目名】００１６
【補正方法】変更
【補正の内容】
【００１６】  本考案は、所有者が無穴人造真珠を組み合わせることにより、ブローチや指輪やネックレス等の輪っか状のアクセサリーを形作ることができる。また、穴あき人造真珠にもペンダント方式をとりながら、同じようにアクセサリーを所有者のアイデアで、形作ることができる。